(57)【特許請求の範囲】
【請求項１】
立ち上がり管と、内部に形成された弁室に収納された弁体を回転させることにより、給水状態と水抜き状態とに切り換えることの出来る、前記立ち上がり管の下端部に取り付けられた不凍栓本体と、上部取付け口と下部取付け口と側部取付け口とを備え、前記下部取付け口において前記立ち上がり管の上端部に取り付けられるエルボと、前記立ち上がり管と前記エルボを囲繞して上方へ延びる外被管と、前記外被管の側部に形成された孔に挿通され、一端側において前記エルボの側部取付け口に結合され、他端側に蛇口、コック等を取付け可能なブッシングと、前記エルボの上部取付け口側から挿入され、前記エルボと前記立ち上がり管内を通って前記不凍栓本体内に挿入され、その下端部近傍において前記弁体に一体回転可能に結合されたスピンドルとを備えた不凍給水栓において、前記スピンドルの下端部が前記弁体を貫通して前記弁室の底部に当接し、前記スピンドルの上端部から前記ブッシングに至る電気の導通可能な経路が、スピンドル上部から該スピンドルの下部を経て前記不凍栓本体へ通じ、さらに前記立ち上がり管から前記エルボを経て前記ブッシングに至る経路ただ１つのみ形成されることを特徴とする、電気解氷可能な不凍給水栓。
【請求項２】
請求項１記載の不凍給水栓において、前記エルボの前記上部取付け口には絶縁スリーブが配置され、該絶縁スリーブ内を前記スピンドルが挿通され、前記絶縁スリーブにより、前記スピンドルと前記エルボの前記上部取付け口との接触が防止されていることを特徴とする、電気解氷可能な不凍給水栓。
【請求項３】
請求項１又は２記載の不凍給水栓において、前記外被管は、前記立ち上がり管に対して該立ち上がり管の下部において取り付けられた絶縁性材料製の部材によりその下端部を支持され、立設されていることを特徴とする、電気解氷可能な不凍給水栓。
【請求項４】
請求項３記載の不凍給水栓において、前記絶縁性材料製の部材は、前記外被管の下端部を閉じる下部キャップを構成することを特徴とする、電気解氷可能な不凍給水栓。
【発明の詳細な説明】
【０００１】
【発明の属する技術分野】
本願発明は不凍給水栓に関し、さらに詳細に言えば、主として屋外に設置される不凍給水栓で、水抜きを行わなかったために凍結してしまった場合に、効率よく電気解氷を行えるようにした不凍給水栓に関する。
【０００２】
【従来の技術】
寒冷地において、冬季における水道の凍結を防止するために、立ち上がり管部分の水抜きを行える不凍給水栓が使用される。屋外に設置される給水栓についても同様で、凍結の恐れがある場合には事前に水抜きをして、凍結を防止する。図１にそのようなタイプの給水栓の一例を示す。これは弁体としてのボールを回転させて通、止水する不凍給水栓である。
【０００３】
給水栓１は、金属製の不凍栓本体（以下、単に栓本体という）３を備え、その栓本体３は、内部にボール５を収納する弁室７を備え、外部から金属製のスピンドル８を操作してボール５を回転させ、ボール５内部に形成された流路を介して流入口９と金属製の立ち上がり管１５との連通と、立ち上がり管１５と逆止弁付きの排水口１３との連通を切替え、給水或いは水抜きを行う。ボール５はボールシートにより回転自在に保持されている。立ち上がり管１５は、栓本体３の流出口１１に取り付けられた筒状の金属製のスピンドル押さえ１７に螺子結合で取り付けられている。スピンドル８の下部には、流出口１１内の位置で、ボール５の回転角度を規制するピン（図示せず）がスピンドル８の直径方向に通されており、これによりスピンドル８の抜け止めがされる。このようなタイプの水抜き栓の給水、水抜きの切替え操作は公知であるので、その説明は省略する。
【０００４】
スピンドル押さえ１７の上端には、ＡＢＳ等のプラスチックで形成された、小径部と大径部とからなる下部キャップ１９が載置取り付けられ、該下部キャップ１９はこれにより立ち上がり管１５の下部に取り付けられた形となっている。図示のように、下部キャップ１９の小径部は立ち上がり管１５の下端部近傍の周囲を囲み、その大径部には、給水栓１の外殻或いは外被を形成する金属製の角パイプ２１が直立する形で取り付けられている。即ち、下部キャップ１９は角パイプ２１の下側を閉じている。符号２３はプラスチック製のスペーサであり、角パイプ２１の上端に取り付けられ、その上に上部キャップ２５が取り付けられている。そしてさらにその上に、スピンドル８の上端に取り付けられるハンドル２７が位置する。
【０００５】
立ち上がり管１５の上端に、金属製のボンネットエルボ２９の下部取付け口３１が螺子結合され、上部取付け口３３には、プラスチック製の鍔付きのキャップ押さえナット３７が図示のように螺子結合で取り付けられ、スペーサ２３と上部キャップ２５を角パイプ２１に固定している。エルボ２９の側部取付け口３５には、金属製のブッシング３９が螺子結合され、このブッシング３９の反対側の鍔部４０は角パイプ２１の外表面に当接している。ブッシング３９には図示してない蛇口等が適宜取付けられる。
【０００６】
スピンドル８は、上から順に、上部スピンドル４１、中間スピンドル４２、ロッド４３、下部スピンドル４４を連結して構成されている。そして、その上端４５においてハンドル２７の上部の凹所４７底部に形成された孔に挿通されたボルト４９に結合されている。そして下方へと伸び、上部キャップ２５、キャップ押さえナット３７、エルボ２９の上部取付け口３３を通って立ち上がり管１５内を通過して伸び、その下端４６はボール５に形成された取付け孔を通過して、弁室７の底部６に当接している。従って、スピンドル８は弁室７の底部６に支持されて立っている。スピンドル８の下端４６の近傍は断面方形となっており、この部分が嵌まるボール５の取付け孔もこれに対応した形状となっており、スピンドル８とボール５は一体的に回転する。符号５１は凹所４７を閉じる蓋である。
【０００７】
上記の如く構成された不凍給水栓は、ハンドル２７を操作することにより水抜きを行い、凍結を防止することが出来る。しかし、このハンドル操作を忘れてしまうと、冬季には立ち上がり管１５内の水が凍結してしまう場合がある。特に屋外に設置した給水栓の場合、日中に使用して、そのまま水抜きを忘れてしまう可能性がある。その場合、外部に露出している金属部分即ち、ブッシング３９とスピンドル８の上端４５（ボルト４９を緩めることにより、ハンドル２７は取り外せる。）をクリップで摘んで電流を流すと、スピンドル８、栓本体３、スピンドル押さえ１７、立ち上がり管１５、ブッシング３９へと電流が流れる回路が形成される。この回路に電気が流れれば、その際の発熱により、立ち上がり管１５内の氷を溶かすことが出来る。
【０００８】
【発明が解決しようとする課題】
しかし、エルボ２９の上部取付け口３３とその中を通る中間スピンドル４２との間はＯリング５３でシーリングされているが、この部分のシール効果を高め、且つＯリングが、それが収受されている溝からはみ出さないようにするために、上部取付け口３３の内周と中間スピンドル４２の外周との隙間はきわめて狭く設定されており、場合によっては両者は接触する。この場合、図から明らかなように、上部スピンドル４１、中間スピンドル４２、エルボ２９、ブッシング３９という回路も形成され、こちら側の方が抵抗がずっと小さいために、殆どの電流はこちら側の回路を流れてしまい、立ち上がり管１５には余り流れない。従って、効率のよい解氷が行えない。
【０００９】
本願発明は、上記問題点に鑑みなされたものであり、立ち上がり管に確実に電流を流すことを可能にして、解氷を効率よく行うことの出来る、不凍給水栓を提供することを目的とするものである。
【００１０】
【課題を解決するための手段】
上記課題を解決するために、本発明においては以下のごとき手段を採用した。即ち、立ち上がり管と、この立ち上がり管の下端部に取り付けられ、内部に弁体としてのボールを収納した不凍栓本体と、立ち上がり管の上端部に取り付けられるエルボと、立ち上がり管とエルボを囲繞して上方へ延びる外被管と、外被管の側部に形成された孔に挿通されてエルボの側部取付け口に結合されるブッシングと、エルボの上部取付け口側から挿入され、エルボと立ち上がり管内を通って不凍栓本体内に挿入され、その下端部近傍においてボールに一体回転可能に結合されているスピンドルとを備えた不凍給水栓において、そのスピンドルの上部からブッシングに至る電気の導通可能な経路が一つだけ形成され、該経路は、立ち上がり管を経るように構成した。
【００１１】
ある実施の形態では、その電気導通可能な経路は、スピンドル上部から該スピンドルの下部を経て不凍栓本体へ通じ、さらに立ち上がり管からエルボを経てブッシングに至るようになっている。
【００１２】
ある実施の形態では、エルボの上部取付け口には絶縁スリーブが配置され、該絶縁スリーブ内をスピンドルが挿通され、スピンドルとエルボの上部取付け口との接触が防止されている。
【００１３】
ある実施の形態では、スピンドルの下端部は、ボールを貫通し、弁室の底部に当接している。
【００１４】
ある実施の形態では、外被管は、絶縁性材料製の部材を介して栓本体に取り付けられている。
【００１５】
【発明の実施の形態】
以下、図面に基づき本発明の具体的な実施の形態を説明する。図２は、本願発明の具体的実施の形態による不凍給水栓６１の断面図であるが、図１に示した従来例とは、エルボの上部取付け口に、絶縁スリーブを配置した点で基本的に異なる。なお、図１に示した従来の給水栓と同じ部材には同じ番号を付して示してある。
【００１６】
符号６３はエルボであり、基本的な形状は従来例でのエルボ２９と似ているが、その内螺子を形成された上部取付け口６５内の下部に絶縁材料製の絶縁スリーブ７１が、螺子結合で取り付けられて配置されている。下部取付け口６７に立ち上がり管１５の上端部が螺子で結合され、側部取付け口６９には金属製のブッシング３９が螺子で結合され、そのブッシング３９の鍔部４０は角パイプ２１の外周面に当接している。
【００１７】
角パイプ２１の上端に載置される上部キャップ７３は、一体に成形された外側及び内側の二重壁７５、７７で構成されている。内側壁７７の下端部には内方へ延びる鍔７９が形成されている。そして、プラスチック製のキャップ押さえナット８１の上部に形成された外方へ延びる鍔８３が鍔７９に載り、キャップ押さえナット８１の下部の螺子部がキャップ押さえナット８１の螺子の上部の部分に螺合し、上部キャップ７３を固定している。
【００１８】
本実施の態様でのスピンドル８５は、上部スピンドル８６、ロッド８７、下部スピンドル８８で構成されている。上部スピンドル８６の上端は従来例同様、ハンドル２７の上部の凹所４７の底部に形成された孔を通って挿入されたボルト４９に結合されている。そして下スピンドル８８の下端８９は、弁室７の底部６に当接している。スピンドル８５（ロッド８７）の外周とキャップ押さえ８１の内周とのあいだには十分な隙間がある。そして、スピンドル８５は絶縁スリーブ７１内を通り、スピンドル８５の外周と絶縁スリーブ７１の内周との間はシール部材９１で液密にシールされている。また、絶縁スリーブ７１の外周とエルボ６３の上部取付け口６５の内周との間はシール部材９３で液密にシールされている。スピンドル８５は、その上端部においてボルト４９に結合され、その途中で絶縁スリーブ７１及びシール部材９１、その下端８９の近傍でボール５に、そしてその下端８９で弁室７の底部６に接触する以外、他の部材に接触していない。
【００１９】
従って、スピンドル８５の上端とブッシング３９の鍔部４０をクリップで挟み、これらの間に電圧をかけた場合には、スピンドル８５の上端からその下端８９を介して栓本体３へ、そして立ち上がり管１５を通ってブッシング３９へと至る経路だけを電流が流れ、他に電流が流れる経路は画成されない。下部キャップ１９はプラスチック等の絶縁性材料で作られているので、角パイプ２１へ流れる経路は画成されない。
【００２０】
【発明の効果】
以上の説明から明らかなように、本発明にかかる不凍給水栓においては、スピンドルとブッシングとの間で電流の流れ得る経路が只一つ、立ち上がり管を通って画成されるので、凍結してしまった場合の解氷を効率よく行うことが出来る。
【図面の簡単な説明】
【図１】従来の不凍給水栓の一例を示す断面図である。
【図２】本発明の一実施の態様による不凍給水栓の断面図である。
【符号の説明】
６１ 不凍給水栓
３ 栓本体
５ ボール
７ 弁室
１５ 立ち上がり管
６３ エルボ
６５ 上部取付け口
６７ 下部取付け口
６９ 側部取付け口
２１ 角パイプ（外被管）
３９ ブッシング
８５ スピンドル
【図１】
0003890120.tif 000002
【図２】
0003890120.tif 000003